(57)【要約】【課題】ブラシとエアフィルタとを適切な位置関係に保ちつつフィルタ清掃部材のブラシが駆動されるフィルタ清掃装置を備えた空気調和装置の室内機を提供する。【解決手段】フィルタ駆動機構１５ａは、フレーム１６によってエアフィルタ３５ａを保持する。フレーム１６は、本体ケーシング５内に設置され、フィルタ駆動機構１５ｃを支えている。フィルタ清掃部材１４はブラシ４７を保持しており、ブラシ４７はフィルタ駆動機構１５ｃから供給される駆動力によりエアフィルタ３５ａに当接して回転する。フィルタ清掃部材１４は、ロック部材１８ｃによってフィルタ清掃部材１４自身をフレーム１６に直接固定している。【選択図】図９
2010065894.tif 000002
【特許請求の範囲】
【請求項１】
室内空気を吸込むための吸込口（６）を有する本体ケーシング（５）と、
前記吸込口の下流側に配置され、前記室内空気の塵埃を捕集するエアフィルタ（３５ａ，３５ｂ）と、
前記エアフィルタを保持すると共に前記エアフィルタを清掃するための駆動力を供給するフィルタ駆動機構（１５ｃ）と、
前記フィルタ駆動機構を支持するため前記本体ケーシング内に設置されるフレーム（１６）と、
前記フィルタ駆動機構から供給される駆動力により前記エアフィルタに当接して動くブラシ（４７）を保持するフィルタ清掃部材（１４）とを備え、
前記フィルタ清掃部材は、前記フレームに前記フィルタ清掃部材自身を直接固定するための固定手段（１８ａ，１８ｂ，１８ｃ，１８ｄ）を有する、空気調和装置の室内機。
【請求項２】
前記フィルタ駆動機構は、前記ブラシに駆動力を伝達するための駆動ギア（５８ｂ）を有し、
前記ブラシは、前記ブラシに固定され、前記駆動ギアと噛み合う被駆動ギア（６４）を有する、請求項１に記載の空気調和装置の室内機。
【請求項３】
前記ロック部材（１８ａ，１８ｂ）は、前記被駆動ギアを挟んで前記被駆動ギアの左右の近傍に配置されている、請求項２に記載の空気調和装置の室内機。
【請求項４】
前記ロック部材は、少なくとも前記被駆動ギアの近傍及び、前記フィルタ清掃部材の両端部近傍に配置されている、請求項２または請求項３に記載の空気調和装置の室内機。
【請求項５】
前記フィルタ清掃部材は、前記ブラシが前記エアフィルタから掻き落とす塵埃を入れておくダストボックス（４９）を含む、請求項１から４のいずれかに記載の空気調和装置の室内機。
【請求項６】
前記エアフィルタを挟んで前記ブラシに対向して配置され、前記エアフィルタを外周に沿って巻き込んで移動方向を転換させるローラ（５２ａ，５２ｂ）をさらに備える、請求項１から５のいずれかに記載の空気調和装置の室内機。
【請求項７】
前記固定手段は、前記フィルタ清掃部材を前記フレームに着脱自在に固定するロック部材（１８ａ，１８ｂ，１８ｃ，１８ｄ）を含む、請求項１から６のいずれかに記載の空気調和装置の室内機。
【発明の詳細な説明】
【技術分野】
【０００１】
本発明は、空気調和装置の室内機に関し、特にエアフィルタを清掃する機構を備える空気調和装置の室内機に関する。
【背景技術】
【０００２】
空気調和装置の室内機は、室内の壁などに取り付けられるため、本体ケーシングの容積をできる限り小さくして小型化されることを要求される。この室内機は、その本体ケーシング内に熱交換器と送風ファンとを備えている。室内機は、この送風ファンにより、室内空気を本体ケーシング内に吸い込み、熱交換器を通して本体ケーシング外に吹き出している。熱交換器において室内空気の加熱又は冷却によって空気の調和が行われるので、吸い込まれた室内空気に塵埃が含まれていると、熱交換器や送風ファンに付着し、熱交換能力の低下や機器の故障の原因となる。そこで、空調室内機の空気吸込口には、吸い込んだ空気に含まれる塵埃の侵入を防ぐため、エアフィルタが取り付けられている。
【０００３】
ところが、エアフィルタで塵埃を除去すると、除去した塵埃はエアフィルタに溜まって徐々にエアフィルタが目詰まりして行くことになる。このフィルタの目詰まりは、送風ファンで熱交換器に送られる室内空気の量の減少や、送風ファンでの電力消費の増大の原因になったりする。そのような不具合を防ぐため、エアフィルタの清掃が必要になる。このエアフィルタの清掃の手間を省くため、ブラシによって自動的に塵埃を清掃するフィルタ清掃装置を設けた空調室内機が提案されている。
【０００４】
このようなフィルタ清掃機構も、室内機の小型化のために、できる限り少ない容積に収納することが要求されている。ブラシに対してエアフィルタを移動して清掃するフィルタ清掃機構は、エアフィルタを清掃するためにエアフィルタを移動させる掃除部と、エアフィルタに当接してエアフィルタについた塵埃を掻き落とすためのブラシが設けられているフィルタ清掃部材とに分かれている。フィルタ清掃機構をコンパクト化するために、ブラシを駆動するための駆動力は掃除部から供給されるものがある（特許文献１及び特許文献２）。
【０００５】
また、フィルタ清掃部材には、掻き落とした塵埃を溜めておくためのダストボックスとしての機能も要求される。特許文献１及び特許文献２に示されているように、定期的に溜まった塵埃を廃棄したり、ブラシの点検や交換を行ったりするため、容易に着脱できるように、フィルタ清掃部材は室内機の本体ケーシングに取り付けられている。
【特許文献１】特開２００８−５７８８１号公報
【特許文献２】特開２００８−８２６９０号公報
【発明の開示】
【発明が解決しようとする課題】
【０００６】
以上説明したようにフィルタ清掃部材と掃除部とを分離可能に構成しなければならないため、掃除部からブラシへの駆動力の供給によって発生する応力が原因で、ブラシとエアフィルタの当接にムラができたり、ギアの噛み合いが外れたりするなどの不具合が発生することがある。
【０００７】
本発明の課題は、ブラシとエアフィルタとを適切な位置関係に保ちつつブラシが駆動されるフィルタ清掃装置を備えた空気調和装置の室内機を提供することにある。
【課題を解決するための手段】
【０００８】
第１発明に係る空気調和装置の室内機は、本体ケーシングとエアフィルタとフィルタ駆動機構とフレームとフィルタ清掃部材とを備えている。本体ケーシングは、室内空気を吸込むための吸込口を有する。エアフィルタは、吸込口の下流側に配置され、室内空気の塵埃を捕集する。フィルタ駆動機構は、エアフィルタを保持すると共にエアフィルタを清掃するための駆動力を供給する。フレームは、フィルタ駆動機構を支持するため本体ケーシング内に設置される。フィルタ清掃部材は、フィルタ駆動機構から供給される駆動力によりエアフィルタに当接して動くブラシを保持する。そして、フィルタ清掃部材は、フレームにフィルタ清掃部材自身を直接固定するための固定手段を有している。
【０００９】
本発明によれば、ブラシを保持するフィルタ清掃部材を、フレームに直接固定するので、ブラシとエアフィルタとの位置関係を適正な状態に保ってフィルタ清掃部材にブラシを保持させることができる。
【００１０】
第２発明に係る空気調和装置の室内機は、第１発明の空気調和装置の室内機であって、フィルタ駆動機構は、ブラシに駆動力を伝達するための駆動ギアを有している。また、ブラシは、ブラシに固定され、駆動ギアと噛み合う被駆動ギアを有している。
【００１１】
本発明によれば、フィルタ駆動機構の駆動ギアからブラシの被駆動ギアに駆動力を伝える場合にも、固定手段により両ギアの位置関係を保てるので、簡単な構成で確実に駆動力を伝達できる。
【００１２】
第３発明に係る空気調和装置の室内機は、第２発明の空気調和装置の室内機であって、ロック部材は、被駆動ギアを挟んで被駆動ギアの左右の近傍に配置されている。
【００１３】
本発明によれば、駆動ギアと被駆動ギアとの間で発生する応力に対して左右にロック位置があるので、ギア駆動時の応力による駆動ギアと被駆動ギアの周囲のフィルタ清掃部材やフィルタ清掃機構などの変形を抑えることができ、例えば、両ギアの間隔が開くことがなく、ギアの噛み合いが外れることがなくなるなどの不具合を防止することができる。
【００１４】
第４発明に係る空気調和装置の室内機は、第２発明または第３発明のいずれかの空気調和装置の室内機であって、ロック部材は、少なくとも被駆動ギアの近傍及び、フィルタ清掃部材の両端部近傍に配置されている。
【００１５】
本発明によれば、被駆動ギアの近傍及びフィルタ清掃部材の両端部近傍の３点にロック位置があるので、比較的長いフィルタ清掃部材であってもフィルタ清掃部材の剛性をあまり上げることなく、すなわちプラスチック製のフィルタ清掃部材でもブラシとエアフィルタの位置関係を保てるので、安価なフィルタ清掃機構を提供できる。
【００１６】
第５発明に係る空気調和装置の室内機は、第１発明から第４発明のいずれかの空気調和装置の室内機であって、フィルタ清掃部材に固定され、ブラシがエアフィルタから掻き落とす塵埃を入れておくダストボックスをさらに備えている。
【００１７】
本発明によれば、固定手段によりフレームに着脱自在に固定されているフィルタ清掃部材と共にダストボックスの着脱ができるので、容易に塵埃の廃棄が行える。また、フィルタ清掃部材をフィルタ駆動機構に直接固定するので、着脱作業性を損ねずに本体ケーシングに取り付ける余分な機構を省け、塵埃の収納量を上げることができる。それにより、塵埃の廃棄回数を低減することができる。
【００１８】
第６発明に係る空気調和装置の室内機は、第５発明の空気調和装置の室内機であって、エアフィルタを外周に沿って巻き込んで移動方向を転換させるローラをさらに備えている。このローラは、エアフィルタを挟んで前記ブラシに対向して配置される。
【００１９】
本発明によれば、エアフィルタの移動方向を転換できるため、ローラによりフィルタ駆動機構の占有面積を小さくして小型化を図り易くすることができると共に、ローラによりブラシとエアフィルタの距離を一定に保ちやすくなってブラシとエアフィルタとの適切な位置を保ちやすくなる。
【００２０】
第７発明に係る空気調和装置の室内機は、固定手段は、フィルタ清掃部材をフレームに着脱自在に固定するロック部材を含む。
【００２１】
本発明によれば、本体ケーシングに設置されているフレームとロック部材により着脱することで、フィルタ清掃部材が本体ケーシングと着脱できるので、メンテナンスが容易になる。
【発明の効果】
【００２２】
第１発明に係る空気調和装置の室内機では、固定手段により必要に応じて着脱を行うことができるとともに、固定手段によるフレームへの直接の固定によりブラシとエアフィルタとの適切な位置関係を保ち、ブラシとエアフィルタとの位置関係がずれることによるブラシ駆動時の不具合を防止することができる。
【００２３】
第２発明に係る空気調和装置の室内機では、フィルタ駆動機構の駆動ギアとブラシの被駆動ギアとの間で駆動力の伝達を行うので、小型化が図り易くなる。
【００２４】
第３発明に係る空気調和装置の室内機では、ブラシ駆動時の応力による駆動ギア及び被駆動ギア周辺の部材の変形を抑制でき、ブラシ駆動時の不具合を抑制する効果が高まる。
【００２５】
第４発明に係る空気調和装置の室内機では、清掃時のブラシ駆動にともなう不具合を防止できる室内機を安価に提供できる。
【００２６】
第５発明に係る空気調和装置の室内機では、ダストボックスの着脱にともなうメンテナンス時の使用者の負担を軽減することができる。
【００２７】
第６発明に係る空気調和装置の室内機では、ローラによりエアフィルタとブラシとの位置関係を適切に保ち易くなり、固定部材による効果を高めることができる。
【００２８】
第７発明に係る空気調和装置の室内機では、メンテナンスにともなう使用者の負担を軽減することのできる室内機を提供することができる。
【発明を実施するための最良の形態】
【００２９】
以下図面を参照しながら、本発明の一実施形態について説明する。なお、以下の実施形態は、本発明の具体例であって、本発明の技術的範囲を限定するものではない。
【００３０】
＜空気調和装置の構成の概要＞
図１は、本発明の一実施形態に係る室内機を含む空気調和装置の全体構成を示す概略図である。空気調和装置１は、室内の壁に取り付けられる室内機２と、室外に設置される室外機３とを備えている。室内機２と室外機３とは、冷媒配管、加湿ホース、伝送線及び通信線などを集合した集合連絡管４によって接続されている。熱交換の面から空気調和装置１を見ると、例えば、室内機２の室内側熱交換器（冷房時は蒸発器／暖房時は凝縮器）及び、室外機３の圧縮機と室外側熱交換器（冷房時は凝縮器／暖房時は蒸発器）と膨張弁などが、集合連絡管４の中を通る冷媒配管で連結されて冷媒回路を構成している。一方、制御の面から空気調和装置１を見ると、リモートコントローラなどの制御端末から指令を受けて室内機２のファンモータなどの室内側機器を制御するための電装品箱が室内機２に設けられ、室外機３のファンモータなどの室外側機器を制御するための電装品箱が室外機３に設けられている。そして、室内機２の電装品箱と室外機３の電装品箱とが集合連絡管４の中を通る伝送線で接続されている。
【００３１】
＜空気調和装置の室内機の構成＞
（室内機の正面構成）
図２は、本発明の一実施形態に係る空気調和装置の室内機の正面図である。室内機２は、本体ケーシング５の上部に吸込口６、下部に吹出口７を備え、前面が前面パネル８で覆われている。そのため、前面から室内空気の吸い込みは行われず、室内機２はもっぱら本体ケーシング５の上部から室内空気の吸い込みを行っており、室内空気の循環は室内機２の天面５ａの側から室内機２の底面５ｃの側に向けて行われる。吹出口７には、運転停止時に閉じ、運転時に開く、２枚の風向調節羽根９が設けられている。この風向調節羽根９によって室内機２の上下方向の風向きを調節している。図２は、運転停止状態を示しており、吹出口７の開口部が風向調節羽根９で閉じられている状態を示している。なお、前面パネル８は、パネル上部８ａ近傍の支点を中心に回動自在に本体ケーシング５に取り付けられている。
【００３２】
前面パネル５の直ぐ下の吹出口７の上辺に沿って、表示用LED１０が並び、受信部１１などが設けられている。このように、室内機２の幅方向のほぼ中央部に集中して、表示機能や制御に必要なセンシング機能が配置されている。表示用LED１０などの電気部品は後述する電装品箱に接続される。
【００３３】
図３は、図２の室内機の前面パネル８を外した状態で、正面から向かって右斜め上（C方向）から見た状態を示す斜視図である。また、図４は、図２の室内機の前面パネルを外した状態で、正面から向かって右斜め下（Ｄ方向）から見た状態を示す斜視図である。図３及び図４に示すように、室内機２の天面５ａ、前面５ｂ、底面５ｃ及び側面５ｅが、本体ケーシング５の一部をなすプラスチック製の前面グリル１２で覆われている。前面パネル８の裏側に当たる前面グリル１２の前部には、表示パネル１３が設けられている。表示パネル１３は電装品箱に接続されているが、電装品箱は、表示パネル１３の裏側に配置されているため、前面グリル１２に隠れて図３及び図４には表れていない。表示パネル１３の表示は、表示パネル１３が前面パネル８で覆われた状態で、前面パネル８を透かして、前面側から室内機２を操作する使用者に見えるようになっている。
【００３４】
表示パネル１３の上方、換言すると電装品箱の直上に、室内機２の幅方向に細長く延びるフィルタ清掃部材１４が配置されている。フィルタ清掃部材１４は、後述するブラシを保持しており、ブラシによって後述するエアフィルタに付着した塵埃を掻き落としてエアフィルタの掃除を行う。図３及び図４には、エアフィルタを取り外した状態が示されている。
【００３５】
フィルタ清掃部材１４の上には、エアフィルタを保持すると共に清掃のためにエアフィルタを駆動するフィルタ清掃機構１５が配置されている。エアフィルタはフィルタ清掃機構１５のフレーム１６を構成するアーム１７の間に保持される。フィルタ清掃機構１５は、本体ケーシング５の開口部１９ａ，１９ｂにおいて露出しており、前面パネル８を開いた状態で、エアフィルタの取替えができるように構成されている。また、フィルタ清掃部材１４は、スライド式のロック部材１８ａ，１８ｂ，１８ｃ，１８ｄでフィルタ清掃機構１５のフレーム１６に着脱自在に固定される。メンテナンスの際には、このロック部材１８ａ，１８ｂ，１８ｃ，１８ｄによるフィルタ清掃部材１４とフィルタ清掃機構１５のフレーム１６への固定を解いて本体ケーシング５の前面５ａの側にフィルタ清掃部材１４を引き出すことができるよう構成されている。フィルタ清掃部材１４は、本体ケーシング５との関係では、本体ケーシング５の凹部に載置されているだけであり、本体ケーシング５に固定されてはいない。ロック部材１８ａ，１８ｂ，１８ｃ，１８ｄは、室内機２の中央へ向けて滑らせるとロックされ、側方に向けて滑らせるとロックが解除されるように設定されている。従って、図３において、ロック部材１８ａ，１８ｃはロックしている状態にあり、ロック部材１８ｂ，１８ｄはロックを解除した状態にある。
【００３６】
フィルタ清掃部材１４と並べて、正面から見て本体ケーシング５の左側に、加湿ダクト２０が形成されている。図４には、加湿ダクト２０のフィルタケース２１が見えている。
【００３７】
（本体ケーシングの構造）
次に、図５から図７を用いて本体ケーシングの前面グリルについて説明する。図５は本体ケーシングの一部を構成する前面グリルの正面図、図６は前面グリルの平面図及び、図７は前面グリルの側面図である。既に説明したように、本体ケーシング５の前面５ｂには、前面パネル８が取り付けられる。前面グリル１２の前部には、エアフィルタ（後述）等のメンテナンスをするための２つの開口部１９ａ，１９ｂがある。前面グリル１２の前部から一段背面側に下がったところにストライプ状の凹凸が並ぶ装飾部２５が形成されているので、前面グリル１２に前面パネル８が取り付けられても、開口部１９ａ，１９ｂの上部は前面パネル８によって塞がれず、開口部１９ａ，１９ｂの上部が副吸込口６ｂとなる。前面グリル１２の天面５ａには、主吸込口６ａが形成されている。副吸込口６ｂは、主吸込口６ａに比べると一段下方に下がった位置に形成されているが、室内機２の上方に向かって設けられており、機能的には副吸込口６ｂも主吸込口６ａと同等であって、天面５ａに設けられているものということができる。主吸込口６ａには、ビーム２６が渡されている。前後に延びるビーム２６は、前面グリル１２の剛性を補強する以外に、主吸込口６ａの下方に位置するエアフィルタの支持枠を押さえてエアフィルタの保持を助ける機能も有している。
【００３８】
なお、エアフィルタは、開口部１９ａ，１９ｂの横幅よりも少し短い長方形状をしているが、エアフィルタと本体ケーシング５との間には、フィルタ清掃機構１５のフレーム１６などがあってエアフィルタと本体ケーシング５との間は塞がっている。そのため、主吸込口６ａ及び副吸込口６ｂから吸い込まれる室内空気は全てエアフィルタを通過することとなる。
【００３９】
前面グリル１２の開口部１９ａ，１９ｂの下には、凹部２７が形成されている。この凹部２７には、既に説明したようにフィルタ清掃部材１４が嵌め込まれる。ところで、凹部２７にフィルタ清掃部材１４が載置されるだけであるため、前面グリル１２からフィルタ清掃部材１４には前面グリル１２の振動は伝わり難くなっている。フィルタ清掃部材１４は、ブラシが取り付けられたブラシ側部材と、ブラシが掻き落とした塵埃を入れておくダストボックスとを有するが、その構成については後述する。また、凹部２７には、開口部２８が形成されている。この開口部２８を通じてフィルタ清掃機構１５とフィルタ清掃部材１４とが連結される。また、この開口部２８において、フィルタ清掃機構１５の駆動ギアとフィルタ清掃部材１４の被駆動ギアが噛み合って、フィルタ清掃機構１５からフィルタ清掃部材１４に駆動力が伝達される。そして、フィルタ清掃部材１４の被駆動ギアとともにブラシが回転させられる。凹部２７にあるネジ穴２９は、フィルタ清掃機構１５を前面グリル１２にネジで固定するためのものである。
【００４０】
前面グリル１２の凹部２７の下には、図３や図４に示した表示パネル１３が嵌め込まれる開口部３０が形成され、開口部３０の下には表示用LED１０などの制御用電気部品のための複数の窓３１が幅方向に並んで形成されている。開口部３０や窓３１の下に、吹出口７を構成する開口部３２が形成されている。また、開口部３０と同じ高さくらいのところに開口部３０と並んで正面左側に、加湿ダクト２０のフィルタカセット２１のための取り出し口３３が設けられている。
【００４１】
（室内機の縦断面構造）
図８は、図２のＡ−Ａ線における室内機の断面の概略を示す図であり、図９は、図２のＢ−Ｂ線における室内機の断面の概略を示す図である。図８及び図９に示すように、本体ケーシング５の天面５ａの主吸込口６ａ及び副吸込口６ｂの下流側には、主吸込口６ａ及び副吸込口６ｂの全面に対向して２枚のエアフィルタ３５ａ，３５ｂが配置されている。図８に示すエアフィルタ３５ａが本体ケーシング５の幅方向の左半分を分担し、図９に示すエアフィルタ３５ｂが本体ケーシング５の幅方向の右半分を分担している。エアフィルタ３５ａ，３５ｂのさらに下流側には室内側熱交換器３６が配置されている。吸込口６を通過して室内側熱交換器３６に到達する室内空気は全てエアフィルタ３５ａ，３５ｂを通過して塵埃の除去を受ける。
【００４２】
室内側熱交換器３６は、前面側熱交換器３６ａと背面側熱交換器３６ｂとを側面視において逆Ｖ字状になるように連結して構成されている。天面５ａから見る平面視において、前面側熱交換器３６ａが主吸込口６ａのほぼ前面側半分に対向する位置に配置され、背面側熱交換器３６ｂがほぼ背面側半分に対向する位置に配置されている。そのため、副吸込口６ｂを含めた吸込口６の全体で見ると、前面側熱交換器３６ａと背面側熱交換器３６ｂの接続部は、室内機２の背面５ｄに寄っている。また、前面側熱交換器３６ａは、上部前面側熱交換器３６ａａと下部前面側熱交換器３６ａｂとからなる。前面側熱交換器３６ａは、主吸込口６ａの直下のエアフィルタ３５ａ，３５ｂの近傍から吹出口７の吹出通路７ａの上壁７ａａの近傍まで延びており、エアフィルタ３５ａ，３５ｂの近傍から吹出口７の吹出通路７ａの上壁７ａａの近傍までのほぼ上半分を占める上部に上部前面熱交換器３６ａａがあり、ほぼ下半分を占める下部に下部前面熱交換器３６ａｂがある。前面側熱交換器３６ａも背面側熱交換器３６ｂも、熱交換パイプ３８に多数のプレートフィン３７を室内機２の幅方向に平行に並べて取り付けることにより構成されている。吸込口６から吸込まれ、エアフィルタ３５ａ，３５ｂを通過した室内空気がプレートフィン３７の間を通り抜ける際に熱交換が生じて空気調和が行われる。そのため、室内空気はプレートフィン３７近傍では、プレートフィン３７の面に平行な流れを生じやすく面に垂直な方向の流れを生じ難い。
【００４３】
室内側熱交換器３６の上流側に、前面側熱交換器３６ａに隣接して補助熱交換器３９が設けられている。正面視において補助熱交換器３９は、図９に示す加湿ダクト２０と重ならないように加湿ダクト２０よりも上に設けている。これにより、加湿ダクト２０から供給される加湿空気と室内空気との空気調和の仕方を異ならせることができる。補助熱交換器３９は、凝縮器として機能させるか蒸発器として機能させるかを、室内機２に設けられている第１電磁弁によって切り替えることができる。再熱除湿運転時には、補助熱交換器３９を凝縮器として利用する一方、室内側熱交換器３６を蒸発器として利用して温度の低下を防ぎながら除湿を行う。また、補助熱交換器３９を室内側熱交換器３６と同じように蒸発器として利用する場合には、熱交換に寄与する面積を増加させることができる。
【００４４】
室内側熱交換器３６と補助熱交換器３９に冷媒を熱交換パイプ３８で並列に供給しているため、第２電磁弁によって室内側熱交換器３６及び補助熱交換器３９に流れる冷媒の量を上部と下部とで異ならせることができる。それにより、室内側熱交換器３６の下部の機能を落としても十分に空気調和ができるときには、室内側熱交換器３６の上部を用いて、効率よく熱交換を行わせることができる。また、第１電磁弁と第２電磁弁によって、室内側熱交換器３６と補助熱交換器３９の使用状態を、加湿ダクト２０の使用の有無との組み合わせに対応して使い分けることもでき、多様な運転が可能になる。なお、第１及び第２電磁弁８５は、室内機２の側方に配置される（図１９参照）。
【００４５】
室内側熱交換器３６の下流側には、略円筒形状のクロスフローファン４０が本体ケーシング５の幅方向に沿って長く延び、室内側熱交換器３６と共に本体ケーシング５の幅方向と平行に設けられている。クロスフローファン４０は、逆Ｖ字状の室内側熱交換器３６に挟まれるように囲まれている。クロスフローファン４０は、本体ケーシング５の天面５ａから見る平面視において、前面側熱交換器３６ａ及び背面側熱交換器３６ｂとほぼ同じ割合で重なる位置に配置されており、正面５ｂから見る正面視において、上部前面側熱交換器３６ａａの下側の一部及び下部前面側熱交換器３６ａｂと重なる位置に配置されている。また、正面視において、クロスフローファン４０は、加湿ダクト２０よりも上方に飛び出るように配置されている。このクロスフローファン４０は、図８及び図９において時計回りに回転して気流を発生させる。
【００４６】
クロスフローファン４０の下流の吹出通路７ａは、背面側をスクロール部材４１で構成されている。スクロール部材４１は、正面視において、本体ケーシング５の吹出口７の開口部３２とほぼ同じ幅を有している。スクロール部材４１の上端はクロスフローファン４０の上端よりも上に位置し、側面視において、円筒状のクロスフローファン４０の中心軸よりも背面側にずれた位置から始まっている。スクロール部材４１の下端は、吹出口７の開口部３２に連結される。スクロール部材４１の案内面４１ａは、断面視において、クロスフローファン４０の側に曲率中心を持つ滑らかな曲線の形状を呈しており、案内面４１aの上部はクロスフローファン４０に最も近い近傍に配置され、下に行くに従って徐々にクロスフローファン４０から離れるように配置されている。吹出通路７ａの上壁７ａａの上端には、断面く字型の表面を有する舌部４２が設けられている。舌部４２の表面のうちクロスフローファン４０の近傍に設けられている表面４２ａは、クロスフローファン４０を挟んでスクロール部材４１の案内面４１ａと対向している。舌部４２の表面４２ａとスクロール部材４１の案内面４１ａで形成される開口部は、図８及び図９の断面図において左斜め上方を向いている。クロスフローファン４０が吸い込むクロスフローファン４０近傍の室内空気の流れの方向は、スクロール部材４１と舌部４２が構成する開口部に左右される。それゆえ、クロスフローファン４０から吹き出された室内空気は、吹出流路７ａを通り吹出口７から吹き出されるのであるが、風向調節羽根９，４３によって吹き出す方向を調節される。クロスフローファン４０に近い風向調節羽根４３によって室内機２の正面から見た左右の吹出し方向が調節され、吹出口７にある風向調節羽根９によって上下の吹出し方向が調節される。
【００４７】
吹出口７の上壁７ａａの上方には、前面側熱交換器３６ａで結露した水滴を受けるドレンパン４４が配置されている。また、ドレンパン４４を構成している部材によって下部前面側熱交換器３６ａｂの下端が支持されており、ドレンパン４４は、室内側熱交換器３６の固定に役立っている。
【００４８】
図８に示すように、吹出口７の上壁７ａａの上には、上壁７ａａに一部接するように、電装品箱４５が配置されている。電装品箱４５の下端はドレンパン４４よりも下にあるが、電装品箱４５の上端はドレンパン４４よりも上にあり、電装品箱４５は、ドレンパン４４の近傍、言い換えると下部前面側熱交換器３６ａｂの近傍に位置する。電装品箱４５の前面は前面グリル１２に沿って当接するように配置されている。電装品箱４５は、その上面から背面にかけてプラスチック製の防滴カバー４６で覆われている。この防滴カバー４６は、電装品箱４５の上面から始まってドレンパン４４を構成する部材の中まで延びており、滴下してきた水滴をドレンパン４４に導くことができる。電装品箱４５の背面側にプリント配線基板４５ａが固定され、プリント配線基板４５ａの上には各種の電気部品が実装されているが電気部品の図示は省略している。
【００４９】
図８に示す電装品箱４５の上の凹部２７に取り付けられているフィルタ清掃部材１４は、ブラシ４７を保持するブラシ側部材４８と、ブラシ４７によって掻き落とされた塵埃を入れておくダストボックス４９とを組み合わせて構成されている。フィルタ清掃部材１４の下部の奥行き（室内機２の前後方向の長さ）は、電装品箱４５の上部の奥行きとほぼ同じになっている。ブラシ４７は、プラスチック製の直毛が放射状に伸びるように形成されており、図８の断面図において、ブラシ４７は半時計回りに回転する。このブラシ４７の下から斜め前方に向けて櫛部の歯５０が挿入されている。また、櫛部の歯５０の直下に塵埃をダストボックス４９に押し込むためのプラスチック製の円柱状の棒状部材５１が設けられている。円柱状の棒状部材５１の表面にらせん状の突起がついており、円柱状の棒状部材５１がブラシ４７と共に回転することにより、櫛部の歯５０が梳き落とした塵埃をダストボックス４９に押し込むことができる。それにより、ダストボックス４９に蓄積される塵埃を圧縮し、ダストボックス４９に溜まった塵埃の廃棄回数を減らすことができる。
【００５０】
フィルタ清掃部材１４の上であって、フィルタ清掃部材１４のブラシ４７がエアフィルタ３５ａ，３５ｂに接するようにフィルタ清掃機構１５が取り付けられている。フィルタ清掃機構１５の２本のフィルタ駆動用ローラ５２ａ，５２ｂは、エアフィルタ３５ａ，３５ｂを挟んでブラシ４７に対向する位置に取り付けられている。図８に示されているのが一方のフィルタ駆動用ローラ５２ｂであり、図９に示されているのがもう一方のフィルタ駆動用ローラ５２ａである。フィルタ駆動用ローラ５２ａ，５２ｂは、両端部にピニオンギアが形成されており、このピニオンギアをエアフィルタ３５ａ，３５ｂの両端部に形成されているラックギアと噛み合わせるとことでエアフィルタ３５ａ，３５ｂの移動を行う。
【００５１】
ここで、図８を用いて、吸込口と舌部との位置関係を説明する。縦断面視において、舌部４２の上面４２ａのうち吸込口６に最も近いところと、吸込口６のうちもっとも前面に近くかつ最も下方にあるところとを直線で結ぶ。この結ばれた直線を符号Ｌ１で示すとすると、この直線Ｌ１より前方の領域は比較的室内空気の風量が少なく、直線Ｌ１より前方に存在する空気が室内機２の空気調和に寄与する割合が小さくなっている。そのため、直線Ｌ１より前方に配置されている部材は、空気調和を妨げ難いということになる。フィルタ清掃部材１４は、この直線Ｌ１よりも前方にあるため、通風抵抗の増加に寄与しない。同様に、清掃機構駆動部１５ｃのフィルタ駆動用ローラ５２ｂも直線Ｌ１よりも前方にあるため空気調和の妨げとなることはない。
【００５２】
フィルタ駆動用ローラ５２ｂが直線Ｌ１よりも前方にあることから、縦断面視におけるブラシ４７とエアフィルタ３５との接点８２が直線L１よりも前方に位置する。なお、ブラシ４７がプラスチック製の直毛で形成されていることから、点で接触するわけではなく、ここでいう接点８２は、文字どおりの接点ではなくて接触している部位程度の意味である。接点８が直線Ｌ１より前にあるので、接点８２付近では気流が弱く、ブラシ４７で落とされた塵埃が飛散し難くなっている。逆に言うと、このように埃が飛散し難い設定とするために、フィルタ清掃部材１４から下方では室内空気の流れが弱くなっている。
【００５３】
エアフィルタ３５ａ，３５ｂは、フィルタ清掃機構１５のアーム１７やブレード５３によって案内される。このアーム１７は、前面パネル８の上部、その前面パネル８から少し背面側に後退して設けられている装飾部２５及び天面５ａの近傍に沿ってなだらかに湾曲する曲線を描く上側案内溝１７ａと、上側案内溝１７ａの下に設けられたもう一本の下側案内溝１７ｂとを備えている。上側案内溝１７ａと下側案内溝１７ｂの間隔は、最も広いところで、フィルタ駆動用ローラ５２ａ，５２ｂのピニオンギアの歯先円の外径より少し広くなっている。室内空気の塵埃を除去するときには、フィルタ清掃機構１５は、上側案内溝１７ａに位置するようにエアフィルタ３５ａ，３５ｂを保持する。エアフィルタ３５ａ，３５ｂを掃除するときには、フィルタ清掃機構１５は、フィルタ駆動用ローラ５２ａ，５２ｂの外周に巻き込むようにしてエアフィルタ３５ａ，３５ｂをＵターンさせる。Ｕターンさせることにより、フィルタ駆動用ローラ５２ａは、エアフィルタ３５ａ，３５ｂの移動方向を下向きから上向きに変え、下側案内溝１７ｂにエアフィルタ３５ａ，３５ｂを導く。エアフィルタ３５ａ，３５ｂをＵターンさせながらブラシ４７で塵埃を掻き落とすので、フィルタ清掃機構１５の長さを短くできる一方、フィルタ駆動用ローラ５２ａ，５２ｂの径の分だけフィルタ清掃機構１５の厚みが増す。
【００５４】
吹出口７の上壁７ａａの上には、図９に示すように、加湿ダクト２０が配置されている。図９の加湿ダクト２０の位置を、図８の電装品箱４５の位置と比較して分かるように、側面視において、加湿ダクト２０が電装品箱４５とほぼ重なる位置に配置されている。加湿ダクト２０には、加湿された外気の流路となる空洞部５４が形成され、空洞部５４の上部に、加湿された外気の給気口５５が形成されている。給気口５５は、下部前面側熱交換器３６ａｂとの間に所定長さの空間ができるように配置されている。それにより、給気口５５から給気される加湿空気が室内機３の幅方向に広がるよう設定されている。空洞部５４は、プレフィルタ２１により仕切られており、給気口５５から本体ケーシング５の内部に給気される外気は全てプレフィルタ２１を通過する。そのため、エアフィルタ３５ａ，３５ｂを給気口５５の前に配置する必要がなくなり、エアフィルタ３５ａ，３５ｂの配置領域を狭くできる。プレフィルタ２１は、室内機２の前面５ａの下方から背面側上方に向かって抜き差し自在に構成されている。
【００５５】
（フィルタ清掃機構）
ここでは、図８及び図９に示したフィルタ清掃機構１５について説明する。図１０がフィルタ清掃機構の正面図、図１１がフィルタ清掃機構の左側面図、及び図１２がフィルタ清掃機構の底面図である。また、フィルタ清掃機構の清掃機構駆動部とエアフィルタの関係を図１３に示す。
【００５６】
フィルタ清掃機構１５は、図１３に示す２枚のエアフィルタ３５ａ，３５ｂを保持するため、左右２つの保持部１５ａ，１５ｂを備えている。エアフィルタ３５ａ，３５ｂは、フィルタリングのために室内空気を通過させるフィルタ部３５ａｂを細い支持枠３５ａａで支持している。図８及ぶ図９を用いて既に説明したように、図１３に示すこれらエアフィルタ３５ａ，３５ｂを駆動するためのフィルタ駆動用モータ５６ａ，５６ｂとフィルタ駆動用ローラ５２ａ，５２ｂが清掃機構駆動部１５ｃを構成している。プラスチック製のエアフィルタ３５ａ，３５ｂの素材との関係もあって、フィルタ駆動用ローラ５６ａ，５６ｂは比較的小型化するのが難しいため、清掃機構駆動部１５ｃがフィルタ清掃機構１５の厚みを増す要因となっている。
【００５７】
保持部１５ａ，１５ｂは、アーム１７及びアーム１７の間に渡されたブレード５３やビーム５９などによって構成されているフレーム１６からなる。フレーム１６は、通風を良くするため、ブレード５３やビーム５９のような細い部材を組み合わせて構成しているので、内部に空間が形成されており、この空間を有効に利用することにより、スペースの有効利用が図られている。すなわち、各保持部１５ａ，１５ｂには、それぞれフィルタ駆動用ローラ５２ａ，５２ｂを駆動するためのフィルタ駆動用モータ５６ａ，５６ｂが、正面視においてエアフィルタ３５ａ，３５ｂと重なる位置に設けられ、アーム１７に取り付けられている。また、フィルタ駆動用モータ５６ａは、図１１に示す上側案内溝１７ａと下側案内溝１７ｂの間に配置されている。言い換えると、フィルタ駆動用ローラ５２ａで移動方向を転換する前のエアフィルタ３５ａの位置と、フィル駆動用ローラ５２ａで移動方向を転換した後のエアフィルタ３５ａの位置との間に、フィルタ駆動用モータ５６ａが配置されていることになる。フレーム１６は、固定部１６ｃを本体ケーシング５にビス止めすることによって固定されている。中央の固定部１６ｃは図５に示した前面グリル１２のネジ穴２９に固定される。また、爪１６ｄを本体ケーシング５に差し込んでフレーム１６の後方の固定を行っている。
【００５８】
エアフィルタ３５ａを室内空気が通り抜けることから、フィルタ駆動用モータ５６ａがエアフィルタ３５ａと重なる部分で通風抵抗を生むため、フィルタ駆動用モータ５６ａは、フィルタ清掃機構１５の左端に配置して、できるだけエアフィルタ３５と重なる面積が少なくなるように取り付けられている。同様の理由から、フィルタ清掃機構１５の保持部１５ｂの左端にフィルタ駆動用モータ５６ｂが取り付けられている。フィルタ駆動用モータ５６ａ，５６ｂは、側面視において重なるように配置されている。また、図９に示すように吸込口６が上部にあり、吸込口６からクロスフローファン４０へ流れる室内空気が下方背面側に向かうため、フィルタ駆動用モータ５６ａ，５６ｂをフィルタ駆動用ローラ５２ａ，５２ｂに近づけて配置することにより、通風抵抗の軽減を図っている。
【００５９】
フィルタ駆動用モータ５６ａ，５６ｂが発生する駆動力は、複数のギアでフィルタ駆動用ローラ５２ａ，５２ｂに伝達される。フィルタ駆動用ローラ５２ａとフィルタ駆動用モータ５６ｂを繋ぐギアは、図１１に示すギアボックス５７の中に収められている。
【００６０】
フィルタ清掃機構１５には、エアフィルタ３５ａ，３５ｂの駆動以外に、図８及び図９に示したブラシ４７を駆動するためのブラシ駆動用モータ５８が設けられている。ブラシ駆動用モータ５８も、正面視において、エアフィルタ３５ａと重なる位置に配置されている。また、側面視において、ブラシ駆動用モータ５８は、フィルタ駆動用モータ５６ａ，５６ｂと重なる位置に配置されている。このブラシ駆動用モータ５８も清掃機構駆動部１５ｃに含まれる。
【００６１】
フィルタ構成機構１５のフレーム１６の下部には、フィルタ清掃部材１４に固定するための掛止突起１６ｂが設けられている。
【００６２】
（フィルタ清掃部材）
図１４はフィルタ清掃部材の分解図、図１５（ａ）はフィルタ清掃部材の正面図、図１５（ｂ）はフィルタ清掃部材の平面図、並びに図１６（ａ）、図１６（ｂ）、図１６（ｃ）、図１６（ｄ）及び図１６（ｅ）はそれぞれ図１５（ｂ）におけるＥ−Ｅ線、Ｆ−Ｆ線、Ｇ−Ｇ線、Ｈ−Ｈ線及びＩ−Ｉ線で切断した断面図である。フィルタ清掃部材１４は、ブラシ４７と、ブラシ４７を保持するブラシ側部材６０と、ブラシ側部材６０の蓋をする蓋部材６１とを備えている。蓋部材６１は、ブラシ側部材６０にヒンジ６５で回動自在に掛止されており、中央のロック部材６６により蓋を閉じた状態でブラシ側部材６０に固定される（図１５（ｂ）、図１６（ｃ）、図１６（ｅ））。ブラシ側部材６０と蓋部材６１は、組み合わせることで内部に塵埃を入れる空間を形成し、ダストボックス４９を構成する（図１８（ｂ）、図１６（ｄ））。ブラシ側部材６０の一辺には、ブラシ４７の長さに対応して櫛部の歯５０が並んでいる（図１４）。
【００６３】
ブラシ４７の軸６３は、ブラシ側部材６０の軸受け６２に回転自在に嵌め込まれている（図１６（ａ））。ブラシ４７の軸６３の両端には軸受け６３との間に遊びがないように軸受け６３の内径にほぼ等しい外径を有するキャップ部材６３ａが嵌め込まれている。ブラシ４７の軸６３は、撓み難い剛性の高い筒状のプラスチックや金属で形成されている。ブラシ４７の軸６３には、被駆動ギア６４が取り付けられている（図１５（ｂ）、図１６（ｂ））。この被駆動ギア６４は、フィルタ清掃部材１４をフィルタ清掃機構１５に固定することにより、駆動ギア５８ｂと噛み合う。蓋部材６１には、円柱状の棒状部材５１が取り付けられており、この棒状部材５１にはギア６７が固定されている（図１４、図１５（ｂ））。棒状部材５１のギア６７は、ブラシ４７の被駆動ギア６４に連結されており、ブラシ４７の回転に連れて回転する。
【００６４】
図１６（ｃ）に示すように、ロック部材６６には、断面ハ字型のレール６８ａとともに、断面鉤型の掛止部６８ｂが設けられている。一方、ブラシ側部材６０には係止突起６９ｂが設けられ、蓋部材６１には、断面Ｃ字型のレール１４ｂが設けられている。断面ハ字型のレール６８ａは、断面Ｃ字型のレール１４ｂにスライド可能に嵌め合わされている。ロック部材６６でロックをするときは、ロック部材６６をスライドさせることにより、蓋部材６１のレール１４ｂとブラシ側部材６０の掛止突起６９ｂとを一緒に、断面ハ字型のレール６８ａと断面鉤型の掛止部６８ｂとの間に挟みこむ。それにより、係止突起６９ｂをロック部材６６が掛止し、蓋部材６１がブラシ側部材６０に固定される。ブラシ側部材６０と蓋部材６１とを強く密着させるために、掛止突起６９ｂは正面から見て左手に行くに従い徐々に太くなっており嵌合を密にすることができるように形成されている。また、蓋部材６１の長手方向の両端部にある爪７０は、ブラシ側部材６０に引っ掛かることでブラシ側部材６０との固定を補助している（図１６（ｅ））。
【００６５】
また、ロック部材１８ａ，１８ｂ，１８ｃ，１８ｄによって、フィルタ清掃部材１４をフィルタ清掃機構１５に固定する方法も、ロック部材６６によるブラシ側部材６０への蓋部材の固定方法と同様に行われる。図１７に図９の領域Ａｒ１の部分拡大図を示す。ロック部材１８ｃには、断面ハ字型のレール１８ｃａとともに、断面鉤型の掛止部１８ｃｂが設けられている。一方、フィルタ清掃部材１４には、断面コ字型で端部が鉤型に折れ曲がっているレール１４ａが設けられている。断面ハ字型のレール１８ｃａは、断面コ字型のレール１４ａにスライド可能に嵌め合わされている。ロック部材１８ｃでロックをするときは、ロック部材１８ｃをスライドさせることにより、フィルタ清掃部材１４のレール１４ａとフィルタ清掃機構１５のフレーム１６の掛止突起１６ｂとを一緒に、断面ハ字型のレール１８ｃａと断面鉤型の掛止部１８ｃｂとの間に挟みこむ。それにより、係止突起１６ｂをロック部材１８ｃが掛止し、フィルタ清掃部材１４がフレーム１６に直接固定される。掛止突起１６ｂも掛止突起６９ｂと同様にロック部材１８ｃが正面視において右方向にスライドするに従い嵌合がきつくなるように左右方向でテーパを設けている。ロック部材１８ａ，１８ｂ，１８ｄもロック部材１８ｃと同様に掛止突起１６ｂを掛止する。それにより、ロック部材１８ａ，１８ｂ，１８ｄが配置されているフィルタ清掃部材１４の左右の端部と被駆動ギア６４と駆動ギア５８ｂが噛み合う中心近傍の４箇所で、フィルタ駆動用ローラ５２ａの中心軸とブラシ４７の軸６０の中心との距離Ｌ２が強固に保たれる。それにより、フィルタ清掃部材１４の全幅に渡って、ブラシ４７とエアフィルタ３５ａの距離を一定に保つことができる。
【００６６】
（フィルタ清掃部材の下方の部品）
図１８及び図１９は、正面グリルを外した状態における室内機の正面図及び斜視図である。図１８に示すようにフィルタ清掃部材１４を装着する凹部２７があり、図１９に示すようにフィルタ清掃部材１４が清掃機構駆動部１５ｃの直下に装着される。
【００６７】
フィルタ清掃部材１４の下には、加湿ダクト２０、電装品箱４５及び電源ボックス８０などが配置されている。図８及び図１０などを用いて説明したように、清掃機構駆動部１５ｃを構成するフィルタ駆動用ローラ５２ａ及びフィルタ駆動用モータ５６ａ，５６ｂは、室内機２の中でも比較的大きな断面形状を有している。そのため、フィルタ清掃部材１４も清掃機構駆動部１５ｃに合わせた奥行きを有している。
【００６８】
吹出口７とフィルタ清掃部材１４との間に加湿ダクト２０、電装品箱４５及び電源ボックス８０などを収める空間を作ると加湿ダクト２０や電装品箱４５などとフィルタ清掃部材１４の奥行きを同じ程度にできるので室内機２内のスペースを有効に使うことができる。また、電装品箱４５とフィルタ駆動用モータ５６ａ，５６ｂとの距離を短くできるため、電装品箱４５とフィルタ駆動用モータ５６ａ，５６ｂとの間の配線の距離が短くなる。
【００６９】
正面から向かって電装品箱４５の右側に、交流電圧１００ボルト及び２００ボルトなどの商用電源給電用の端子盤が収められている電源ボックス８０が配置されている。電装品箱４５の電源も電源ボックス８０から供給される。室内機２の長手方向に沿って、電装品箱４５と並べて電源ボックス８０を配置することで、電装品箱４５への電源の供給距離が短くなるだけでなく、側面視において電源ボックス８０が電装品箱４５に重なる位置に配置されるため、スペースの有効利用が図られる。
【００７０】
正面から向かって電装品箱４５の左側に、スピーカ８１が配置されている。スピーカ８１は、電装品箱４５と加湿ダクト２０との間に設けられ、スペースの有効利用が図られている。スピーカ８１が電装品箱４５に近いことから、スピーカと電装品箱４５との配線が短くなる。
【００７１】
以上のように配置することにより、室内機２の幅Ｗ０に対してエアフィルタ３５ａ，３５ｂを配置することができる幅Ｗ１を大きく取ることができる。また、室内側熱交換器３６の幅を大きく取ることができる。それにより、熱交換に寄与する熱交換器の有効長を従来に比べて延ばすことができる。
【００７２】
＜変形例＞
（ａ）
上記実施形態においては、フィルタ駆動機構として、ブラシ駆動用モータ５８から平歯車である駆動ギア５８ｂと被駆動ギア６４を介してブラシ４７が回転するための駆動力を供給するものを示したが、ブラシ４７に駆動力を伝達するものは平歯車の組み合わせには限られず他の種類の歯車の組み合わせや伝達機構の間で分離が可能であれば歯車以外の伝達機構であってもよく、また駆動力の発生手段もモータに限られない。
【００７３】
（ｂ）
上記実施形態においては、フィルタ駆動機構として、フィルタ駆動用ローラ５２ａ，５２ｂによりエアフィルタ３５ａ，３５ｂを駆動するものを示したが、エアフィルタ３５ａ，３５ｂとブラシ４７との相対移動をさせる手段は、上記実施形態のフィルタ駆動用ローラ５２ａ，５２ｂには限られない。フィルタ駆動機構は、エアフィルタ３５ａ，３５ｂとブラシ４７とを所定の間隔に保ちエアフィルタ３５ａ，３５ｂとブラシ４７とを相対移動させるものであればよい。
【００７４】
（ｃ）
上記実施形態においては、シート状のエアフィルタ３５ａ，３５ｂの清掃を行うフィルタ清掃機構について説明したが、エアフィルタが筒状に繋がれた連続体であってもよく、上記実施形態と同様の効果を奏する。
【００７５】
（ｄ）
上記実施形態においては、スライドすることにより固定と解除を行わせるロック部材１８ａ、１８ｂ、１８ｃ、１８ｄについて説明したが、ロック機構は他の機構であってもよく、固定された状態からずれ難いように固定するロック部材が好ましい。
【００７６】
＜特徴＞
（１）
図９に示すように、ブラシ４７を保持するフィルタ清掃部材１４を、フィルタ清掃機構１５のフレーム１６に直接固定する。そのため、ブラシ４７とエアフィルタ３５ａ，３５ｂとの位置関係を適正な状態に保ってフィルタ清掃部材１４にブラシ４７を保持させることができる。その結果、ロック部材１８ａ、１８ｂ、１８ｃ、１８ｄ（固定手段）により必要に応じて着脱を行うことができる。また同時に、ロック部材１８ａ、１８ｂ、１８ｃ、１８ｄによるフレーム１６への直接の固定によりブラシ４７とエアフィルタ３５ａ，３５ｂとの適切な位置関係を保ち、ブラシ４７とエアフィルタ３５ａ，３５ｂとの位置関係がずれることによるブラシ駆動時の不具合を防止することができる。
【００７７】
（２）
ブラシ駆動用モータ５８（フィルタ駆動機構）の駆動ギア５８ｂからブラシ４７の被駆動ギア６４に駆動力を伝える場合にも、ロック部材１８ａ、１８ｂ、１８ｃ、１８ｄにより両ギア６４，５８ｂの位置関係を保てる。このように２つの平歯車の駆動ギア５８ｂからブラシ４７の被駆動ギア６４に駆動力を伝達するので、簡単な構成で駆動力を伝達できる。そのためフィルタ清掃機構１５の小型化を図れ、室内機２の小型化を図れる。
【００７８】
（３）
ロック部材１８ａ、１８ｂは、被駆動ギア６４を挟んで被駆動ギア６４の左右の近傍に配置される。このように、駆動ギア５８ｂと被駆動ギア６４との間で発生する応力に対して左右にロック位置があるので、ギア駆動時の応力による駆動ギア５８ｂと被駆動ギア６４の周囲のフィルタ清掃部材１４やフィルタ清掃機構１５などの変形を抑えることができ、例えば、両ギア６４，５８ｂの間隔が開くことがなく、ギアの噛み合いが外れることがなくなるなどの不具合を防止することができる。
【００７９】
（４）
被駆動ギア６４の近傍（ロック部材１８ａ及びロック部材１８ｂのうちの少なくとも一方）及びフィルタ清掃部材１４の両端部近傍（ロック部材１８ｃ、１８ｄ）の３点にロック位置があるので、比較的長いフィルタ清掃部材１４であってもフィルタ清掃部材１４の剛性をあまり上げることなく、すなわちプラスチック製のフィルタ清掃部材１４でもブラシ４７とエアフィルタ３５ａ，３５ｂの位置関係を保てるので、安価なフィルタ清掃機構を提供できる。
【００８０】
（５）
ロック部材１８ａ，１８ｂ，１８ｃ，１８ｄ（固定手段）によりフレーム１６に着脱自在に固定されているフィルタ清掃部材１４と共にダストボックス４７の着脱ができるので、容易に塵埃の廃棄が行える。また、ロック部材１８ａ，１８ｂ，１８ｃ，１８ｄによる固定の機構が簡単で、本体ケーシングに取り付けるための余分な機構もないことからダストボックス４７の塵埃の収納量を上げることができる。また、着脱作業性を損ねることない。そのため、塵埃の廃棄回数を減らすことができ、メンテナンス時の負担を軽減できる。
【００８１】
（６）
エアフィルタ４７の移動方向を転換できるため、フィルタ駆動用ローラ５２ａ，５２ｂによりフィルタ駆動機構１５の占有面積を小さくして小型化を図り易くすることができると共に、フィルタ駆動用ローラ５２ａ，５２ｂによりブラシ４７とエアフィルタ３５ａ，３５ｂの距離を一定に保ちやすくなってブラシ４７とエアフィルタ３５ａ，３５ｂとの適切な位置を保ちやすくなる。
【００８２】
（７）
本体ケーシング５に設置されているフレーム１６とロック部材１８ａ，１８ｂ，１８ｃ，１８ｄにより着脱することで、フィルタ清掃部材１４が本体ケーシング５と着脱できるので、メンテナンスが容易になる。
【図面の簡単な説明】
【００８３】
【図１】本発明の一実施形態に係る空気調和装置の構成の概要を示す図。
【図２】本発明の一実施形態に係る空気調和装置の室内機の正面図。
【図３】図２のC方向から見た、前面パネルを取り外した室内機の斜視図。
【図４】図２のD方向から見た、前面パネルを取り外した室内機の斜視図。
【図５】図２に示す室内機の前面グリルの平面図。
【図６】図２に示す室内機の前面グリルの正面図。
【図７】図２に示す室内機の前面グリルの側面図。
【図８】図２におけるＡ−Ａ線断面図。
【図９】図２におけるＢ−Ｂ線断面図。
【図１０】フィルタ清掃機構の正面図。
【図１１】フィルタ清掃機構の側面図。
【図１２】フィルタ清掃機構の底面図。
【図１３】エアフィルタと清掃機構駆動部との関係の概略を示す概略図。
【図１４】フィルタ清掃部材の分解斜視図。
【図１５】（ａ）フィルタ清掃部材の正面図。（ｂ）フィルタ清掃部材の平面図。
【図１６】（ａ）フィルタ清掃部材のＥ−Ｅ線断面図。（ｂ）フィルタ清掃部材のＦ−Ｆ線断面図。（ｃ）フィルタ清掃部材のＧ−Ｇ線断面図。（ｄ）フィルタ清掃部材のＨ−Ｈ線断面図。（ｅ）フィルタ清掃部材のＩ−Ｉ線断面図。
【図１７】図９に示す領域Ａｒ１の部分拡大図。
【図１８】正面グリルを取り外した室内機の正面図。
【図１９】正面グリルを取り外した室内機の斜視図。
【符号の説明】
【００８４】
１  空気調和装置
２  室内機
３  室外機
６  吸込口
７  吹出口
８  前面パネル
１４  フィルタ清掃部材
１５  フィルタ清掃機構
２０  加湿ダクト
３５ａ，３５ｂ  エアフィルタ
３６  室内側熱交換器
４０  クロスフローファン
４２  舌部
４５  電装品箱
４６  防滴カバー
４９  ダストボックス
５２ａ，５２ｂ  フィルタ駆動用ローラ
５６ａ，５６ｂ  フィルタ駆動用モータ
【図１】
2010065894.tif 000003
【図２】
2010065894.tif 000004
【図３】
2010065894.tif 000005
【図４】
2010065894.tif 000006
【図５】
2010065894.tif 000007
【図６】
2010065894.tif 000008
【図７】
2010065894.tif 000009
【図８】
2010065894.tif 000010
【図９】
2010065894.tif 000011
【図１０】
2010065894.tif 000012
【図１１】
2010065894.tif 000013
【図１２】
2010065894.tif 000014
【図１３】
2010065894.tif 000015
【図１４】
2010065894.tif 000016
【図１５】
2010065894.tif 000017
【図１６】
2010065894.tif 000018
【図１７】
2010065894.tif 000019
【図１８】
2010065894.tif 000020
【図１９】
2010065894.tif 000021